(57)【要約】【課題】情報の受信に係る料金を抑制するための利便性を向上させることが可能な受信装置を提供する。【解決手段】  無線部１２は、情報を受信する。メモリ１５は、情報のサイズと情報の受信に係る料金との対応関係を保存する。制御部１６は、無線部１２にて受信が予定されている受信予定情報のサイズである受信サイズを取得し、その受信サイズと対応関係とに基づいて、受信予定情報の受信に係る受信料金が閾値を超えているか否かを判断する。受信料金が閾値を超えている場合、表示部１４は、警告を表示する。【選択図】図１
2012221466.tif 000002
【特許請求の範囲】
【請求項１】
情報を受信する通信部と、
前記情報のサイズと前記情報の受信に係る料金との対応関係を保存する保存部と、
前記通信部にて受信が予定されている受信予定情報のサイズである受信サイズを取得し、前記受信サイズと前記対応関係とに基づいて、前記受信予定情報の受信に係る受信料金が閾値を超えているか否かを判断する制御部と、
前記受信料金が前記閾値を超えている場合、警告を通知する通知部と、を有する受信装置。
【請求項２】
操作部をさらに有し、
前記通知部は、前記受信料金を含む前記警告として、前記受信予定情報の全てを受信するか、それとも前記受信予定情報の一部を受信するかを判断する旨を通知し、
前記制御部は、前記操作部が前記受信予定情報の全てを受信する全受信指示を受け付けると、前記通信部を介して前記受信予定情報の全てを受信させ、前記操作部が受信予定情報の一部を受信する部分受信指示を受け付けると、前記通信部を介して前記受信予定情報の一部を受信させる、請求項１に記載の受信装置。
【請求項３】
前記制御部は、前記通信部にて所定期間内に受信された受信済情報のサイズの合計値が所定値に達しているか否かを判断し、前記合計値が前記所定値未満の場合、前記受信サイズを取得する、請求項１または２に記載の受信装置。
【請求項４】
前記制御部は、前記警告を通知する設定を適用している場合、前記合計値が前記所定値に達しているか否かを判断し、前記合計値が前記所定値を超えると、前記設定を解除し、
前記通知部は、前記設定が解除されると、前記合計値が前記所定値を超えた旨を通知する、請求項３項に記載の受信装置。
【請求項５】
前記所定値は、前記合計値が当該所定値に達すると、それ以降、前記所定期間内では前記受信予定情報の受信に課金されなくなる値である、請求項３または４に記載の受信装置。
【請求項６】
情報を受信する受信装置による受信通知方法であって、
前記情報のサイズと前記情報の受信に係る料金との対応関係を保存し、
受信が予定されている受信予定情報のサイズである受信サイズを取得し、
前記受信サイズと前記対応関係とに基づいて、前記受信予定情報の受信に係る受信料金が閾値を超えているか否かを判断し、
前記受信料金が前記閾値を超えている場合、警告を通知する、受信通知方法。
【請求項７】
情報のサイズと前記情報の受信に係る料金との対応関係を保存させる手順と、
受信が予定されている受信予定情報のサイズである受信サイズを取得する手順と、
前記受信サイズと前記対応関係とに基づいて、前記受信予定情報の受信に係る受信料金が閾値を超えているか否かを判断する手順と、
前記受信料金が前記閾値を超えている場合、警告を通知する手順と、をコンピュータに実行させるプログラム。
【発明の詳細な説明】
【技術分野】
【０００１】
本発明は、情報を受信する受信装置、受信通知方法およびプログラムに関し、特には、電子メールを受信する受信装置、受信通知方法およびプログラムに関する。
【背景技術】
【０００２】
近年、携帯電話端末やＰＣ（Personal computer）のような通信装置において送受信される情報のサイズは増加傾向にある。例えば、電子メールとして、文字を着色したりアニメーション画像を利用したりするために、ＨＴＭＬ（HyperText Markup Language）で記述したＨＴＭＬメールが使用されることが増えているが、ＨＴＭＬメールは通常の電子メールと比べてサイズが大きい場合が多い。
【０００３】
また、送受信される情報のサイズに応じて課金される場合、ＨＴＭＬメールのようなサイズが大きい情報が送受信されると、情報の送受信に係る通信料金が高くなるという問題がある。なお、情報を送信する場合には、通信料金を抑制するために、アニメーション画像を減らした電子メールを作成するなどの対応が可能であるが、情報を受信する際にも課金される場合には、利用者の意図とは関係なくサイズの大きな情報が送信されてくることがあるので、通信料金を抑制することは難しい。
【０００４】
これに対して特許文献１には、電子メールに添付ファイルがある場合、その添付ファイルをダウンロードする前に、添付ファイルのダウンロードに係る通信料金を携帯電話端末の利用者に通知して、添付ファイルをダウンロードするか否かを利用者に判断させる電子メール配信システムが記載されている。
【先行技術文献】
【特許文献】
【０００５】
【特許文献１】特開２００２−１８９６８３号公報
【発明の概要】
【発明が解決しようとする課題】
【０００６】
しかしながら、特許文献１に記載の電子メール配信システムでは、利便性が低いという問題がある。
【０００７】
例えば、電子メールに添付ファイルが存在しない場合、ＨＴＭＬメールのように電子メール本体のデータ量が大きくても、通信料金が通知されないので、通信料金が意図せずに高くなることがある。また、電子メールに添付ファイルがあると、その添付ファイルのデータ量が小さくても、通信料金が通知されるので、通信料金が低いときでも、利用者は添付ファイルをダウンロードするか否かを判断する必要があり、利用者に煩わしさを与えることがある。
【０００８】
本発明の目的は、通信料金の抑制のための利便性を向上させることが可能な受信装置、受信通知方法およびプログラムを提供することである。
【課題を解決するための手段】
【０００９】
本発明による受信装置は、情報を受信する通信部と、前記情報のサイズと前記情報の受信に係る料金との対応関係を保存する保存部と、前記通信部にて受信が予定されている受信予定情報のサイズである受信サイズを取得し、前記受信サイズと前記対応関係とに基づいて、前記受信予定情報の受信に係る受信料金が閾値を超えているか否かを判断する制御部と、前記受信料金が前記閾値を超えている場合、警告を通知する通知部と、を有する。
【００１０】
本発明による受信通知方法は、情報を受信する受信装置による受信通知方法であって、前記情報のサイズと前記情報の受信に係る料金との対応関係を保存し、受信が予定されている受信予定情報のサイズである受信サイズを取得し、前記受信サイズと前記対応関係とに基づいて、前記受信予定情報の受信に係る受信料金が閾値を超えているか否かを判断し、前記受信料金が前記閾値を超えている場合、警告を通知する。
【００１１】
本発明によるプログラムは、情報のサイズと前記情報の受信に係る料金との対応関係を保存させる手順と、受信が予定されている受信予定情報のサイズである受信サイズを取得する手順と、前記受信サイズと前記対応関係とに基づいて、前記受信予定情報の受信に係る受信料金が閾値を超えているか否かを判断する手順と、前記受信料金が前記閾値を超えている場合、警告を通知する手順と、をコンピュータに実行させる。
【発明の効果】
【００１２】
本発明によれば、通信料金の抑制のための利便性を向上させることが可能になる。
【図面の簡単な説明】
【００１３】
【図１】本発明の第１の実施形態の携帯電話端末の構成を示すブロック図である。
【図２】本発明の第１の実施形態の携帯電話端末の動作の一例を説明するためのフローチャートである。
【図３】本発明の第１の実施形態の携帯電話端末の動作の一例を説明するためのフローチャートである。
【図４】本発明の第２の実施形態の携帯電話端末の動作の一例を説明するためのフローチャートである。
【図５】本発明の第３の実施形態の受信装置の構成を示す図である。
【発明を実施するための形態】
【００１４】
以下、本発明の実施形態について図面を参照して説明する。なお、以下の説明では、同じ機能を有するものには同じ符号を付け、その説明を省略する場合がある。
【００１５】
図１は、本発明の第１の実施形態の携帯電話端末の構成を示すブロック図である。図１において、携帯電話端末１０は、アンテナ１１と、無線部１２と、表示部１３と、キー操作部１４と、メモリ１５と、制御部１６とを有する。また、携帯電話端末１０は、ネットワーク３０を介して、メールサーバ２０と相互に接続可能である。
【００１６】
無線部１２は、アンテナ１１を用いて無線通信を行い、ネットワーク３０を介してメールサーバ２０と相互に接続して、メールサーバ２０との情報の送受信を行う通信部である。
【００１７】
無線部１２は、例えば、携帯電話端末１０宛の電子メールが存在する旨の受信通知や、携帯電話端末１０宛の電子メールなどをメールサーバ２０から受信する。なお、受信通知にて存在が通知された電子メールは、無線部１２にて受信が予定される受信予定情報となる。以下、受信予定情報となる電子メールを受信メールと呼ぶこともある。
【００１８】
表示部１３は、制御部１６からの指示に応じて種々の情報を表示して、種々の情報を利用者に通知する通知部である。
【００１９】
キー操作部１４は、携帯電話端末１０の利用者にて操作される操作部であり、利用者から種々の情報を受け付ける。例えば、キー操作部１４は、受信メールを受信する受信方法を変更するための閾値となる受信上限料金、受信メールの全てを受信する旨の全受信指示、および、受信メールの一部を受信する旨の部分受信指示などを利用者から受け付ける。
【００２０】
メモリ１５は、種々の情報を保存する保存部である。例えば、メモリ１５は、キー操作部１４が受け付けた受信上限料金、および、電子メールの受信に係る受信料金と電子メールのサイズ（情報量）との対応関係である料金−サイズ関係などを保存する。
【００２１】
制御部１６は、受信メールを受信する受信方法を受信料金に応じて変更する受信方法選択設定の適用および解除を行う。なお、本実施形態では、受信方法選択設定を、警告を通知する設定として用いている。
【００２２】
受信方法選択設定が適用されている場合、無線部１２が受信通知を受信すると、制御部１６は、その受信通知にて存在が通知された受信メールのサイズを受信サイズとして取得する。
【００２３】
例えば、制御部１６は、受信メールのヘッダ情報であるメールヘッダをメールサーバ２０から取得し、そのメールヘッダから受信サイズを取得する。また、受信通知に受信サイズが含まれていれば、制御部１６は、その受信通知から受信サイズを取得してもよい。また、制御部１６は、電子メールを受信するためのプロトコル（例えば、ＰＯＰ３（Post Office Protocol Version 3）やＩＭＡＰ（Internet Message Access Protocol）など）で定められている、受信メールのサイズを取得する機能を用いて受信サイズを取得してもよい。
【００２４】
受信サイズを取得すると、制御部１６は、その受信サイズと、メモリ１５に保存されている料金−サイズ関係とに基づいて、受信メールの受信に係る受信料金がメモリ１５に保存された受信上限料金を超えているか否かを判断する。
【００２５】
なお、携帯電話端末１０は、通常、パケット単位で電子メールの送受信を行うため、本実施形態では、メモリ１５は、料金−サイズ関係として、電子メールの１パケット当たりのサイズと、電子メールの１パケット当たりの受信料金とを保存するものとする。この場合、例えば、制御部１６は、１パケット当たりのサイズおよび受信料金と、受信上限料金とに基づいて、受信料金が受信上限料金を超えない受信サイズの上限値である受信上限サイズを求め、受信サイズが受信上限サイズを超えているか否かを判断して、受信料金が受信上限料金を超えているか否かを判断する。
【００２６】
受信料金が受信上限料金以下の場合、制御部１６は、無線部１２を用いて受信メールの全てを受信する。
【００２７】
一方、受信料金が受信上限料金以上の場合、制御部１６は、受信料金が高いことを示す警告を表示部１３に表示する。この警告は、受信料金を含んでいてもよく、受信メールの全てを受信するか、それとも受信予報の一部を受信するかを判断する旨を含んでいてもよい。
【００２８】
警告表示後にキー操作部１４が全受信指示を受け付けると、制御部１６は、アンテナ１１および無線部１２を介してメールサーバ２０から受信メールの全てを受信する。また、警告表示後にキー操作部１４が部分受信指示を受け付けると、制御部１６は、アンテナ１１および無線部１２を介してメールサーバ２０から受信メールの一部を受信する。
【００２９】
受信メールの一部は、例えば、受信メールから添付ファイルを除いたものや、受信メールからその電子メールの本文などに組み込まれたインライン画像などの挿入情報を除いたものなどである。また、受信メールが複数のパートからなるマルチパートメールの場合、受信メールの一部は、複数のパートから一部のパートを除いたものでもよい。
【００３０】
また、何を受信メールの一部とするかは、予め定められていてもよいし、利用者によって予め設定されていてもよいし、キー操作部１４が部分受信指示として受信メールの一部を指定する情報を受け付けてもよい。また、制御部１６は、受信メールの一部が利用者などによって指定された指定サイズ以下となるように、受信メールから除く添付ファイル、挿入情報およびパートなどを選択してもよい。
【００３１】
次に携帯電話端末１０の動作について図２および図３を用いて説明する。なお、以下の動作では、受信メールのヘッダから受信サイズが取得されるものとする。
【００３２】
図２は、受信方法選択設定を適用する際の携帯電話端末１０の動作を説明するためのフローチャートである。
【００３３】
先ず、受信方法選択設定を適用する場合、利用者は、受信方法選択設定を行う旨の設定指示をキー操作部１４に対して入力する。キー操作部１４は、設定指示を受け付けると、その設定指示を制御部１６に通知する。制御部１６は、設定指示を受け付けると、受信方法選択設定を起動する（ステップＳ２０１）。
【００３４】
受信方法選択設定を起動すると、制御部１６は、利用者に受信上限料金の入力を要求する設定画面を表示部１３に表示する。その後、キー操作部１４は、設定画面を確認した利用者から受信上限料金を受け付けると、その受信上限料金を制御部１６に通知する。制御部１６は、受信上限料金を受け付けると、その受信上限料金をメモリ１５に保存する（ステップＳ２０２）。
【００３５】
受信上限料金を保存すると、制御部１６は、利用者が電子メールを利用するために契約している料金プランを確認する（ステップＳ２０３）。料金プランは、電子メールの１パケット当たりの料金を示し、メールサーバ２０に予め保存されているものとする。そして、制御部１６は、無線部１２、アンテナ１１およびネットワーク３０を介してメールサーバ２０に接続して、メールサーバ２０内の料金プランを確認する。なお、料金プランは、メールサーバ２０と異なるサーバに保存されていてもよいし、メモリ１５に予め保存されていてもよい。
【００３６】
料金プランを確認すると、制御部１６は、その料金プラン情報が示す１パケット当たりの料金と、ステップＳ２０２で受け付けた受信上限料金とに基づいて、通信料金が受信上限料金を超えない、受信メールのパケット数の上限値である受信上限パケット数を算出する（ステップＳ２０４）。
【００３７】
そして、制御部１６は、メモリ１５に予め保存されている１パケット当たりの受信サイズを確認し、その１パケット当たりの受信サイズと、受信上限パケット数とに基づいて、受信料金が受信上限料金を超えない、受信サイズの上限値である受信上限サイズを算出し、その受信上限サイズをメモリ１５に保存して（ステップＳ２０５）、受信方法選択設定を適用するための処理を終了する。
【００３８】
図３は、受信方法選択設定が適用されている場合における、電子メールの受信に係る携帯電話端末の動作を説明するためのフローチャートである。
【００３９】
無線部１２は、アンテナ１１を介して受信通知を受信すると、その受信通知を制御部１６に送信する。制御部１６は、受信通知を受信すると、受信方法選択設定が適用されているか否かを確認する。
【００４０】
受信方法選択設定が適用されている場合、制御部１６は、受信メールのメールヘッダをメールサーバ２０から取得する（ステップＳ３０１）。より具体的には、制御部１６は、受信メールのメールヘッダを送信する旨のヘッダ送信要求を、無線部１２、アンテナ１１およびネットワーク３０を介してメールサーバ２０に送信する。メールサーバ２０は、ヘッダ送信要求を受信すると、受信メールのメールヘッダを、ネットワーク３０を介して携帯電話端末１０に送信する。制御部１６は、その送信されたメールヘッダを、アンテナ１１および無線部１２を介して取得する。なお、受信方法選択設定が設定されていない場合、制御部１６は、通常の受信動作を行い、受信メールの全てを受信する。
【００４１】
メールヘッダを取得すると、制御部１６は、そのメールヘッダ内の受信メールのサイズを受信サイズとして取得する（ステップＳ３０２）。
【００４２】
そして、制御部１６は、メモリ１５から受信上限サイズを読み出し、受信サイズが受信上限サイズを超えているか否かを判断して、受信料金が受信上限料金を超えているか否かを判断する（ステップＳ３０３）。
【００４３】
受信サイズが受信上限サイズ以下の場合、制御部１６は、受信料金が受信上限料金以下であると判断して、受信メールの全てをアンテナ１１および無線部１２を介して受信する。より具体的には、制御部１６は、受信メールの全てを送信する旨の全送信指示を、無線部１２、アンテナ１１およびネットワーク３０を介してメールサーバ２０に送信する。メールサーバ２０は、全送信指示を受信すると、受信メールをそのまま携帯電話端末１０に送信する。制御部は、その送信された受信メールを、アンテナ１１および無線部１２を介して受信する。
【００４４】
受信メールを受信すると、制御部１６は、受信メールを受信した旨のメール受信完了通知を表示部１３に表示して（ステップＳ３０４）、処理を終了する。
【００４５】
一方、受信サイズが受信上限サイズを超えている場合、制御部１６は、受信料金が受信上限料金を超えていると判断して、メモリ１５から、１パケット当たりの受信サイズと１パケット当たりの通信料金とを読み出し、この１パケット当たりの受信サイズおよび通信料金と、受信サイズとに基づいて、受信メールの全てを受信する際に係る受信料金を算出する（ステップＳ３０５）。
【００４６】
そして、制御部１６は、受信料金を含む警告を表示部１３に表示して、利用者に受信メールをそのまま受信するか、受信メールの一部を受信するかを選択させる（ステップＳ３０６）。
【００４７】
利用者が受信メールをそのまま受信することを選択した場合、利用者はキー操作部１４に受信メールを全て受信する旨の全受信指示を入力する。キー操作部１４は、全受信指示を受け付け、その全受信指示を制御部１６に送信する。制御部１６は、全受信指示を受信すると、受信メールの全てをアンテナ１１および無線部１２を介して受信し、その後、メール受信完了通知を表示部１３に表示して（ステップＳ３０７）、処理を終了する。
【００４８】
一方、利用者が受信メールの料金を高いと判断して、受信メールの一部だけを受信すると判断した場合、利用者はキー操作部１４に受信メールの一部を受信する旨の部分受信指示を入力する。ここでは、受信メールには添付ファイルが存在しており、受信メールの一部として添付ファイルを除いた受信メールを受信するものとする。
【００４９】
キー操作部１４は、部分受信指示を受け付けると、その部分受信指示を制御部１６に送信する。制御部１６は、部分受信指示を受信すると、受信メールの一部として添付ファイルを除いた受信メールを、アンテナ１１および無線部１２を介して受信する。より具体的には、制御部１６は、受信メールの一部を送信する旨の部分送信指示として、添付ファイルを除いた受信メールを送信する旨を、無線部１２、アンテナ１１およびネットワーク３０を介してメールサーバ２０に送信する。メールサーバ２０は、部分送信指示を受信すると、受信メールから添付ファイルを除き、その添付ファイルを除いた受信メールを、受信メールの一部として携帯電話端末１０に送信する。制御部は、その受信メールの一部を、アンテナ１１および無線部１２を介して受信する。
【００５０】
そして、制御部１６は、その受信した受信メールの一部を受信した旨の一部受信完了通知を表示部１３に表示して（ステップＳ３０８）、処理を終了する。
【００５１】
以上説明したように本実施形態によれば、受信メールの受信に係る受信料金が受信上限料金を超えている場合、警告が通知されるので、受信メールに添付ファイルがあるか否かに関わらず、受信料金が高くなるときだけ警告を通知することが可能になり、通信料金の抑制のための利便性を向上させることが可能になる。
【００５２】
また、本実施形態では、受信料金を含む警告が通知され、全受信指示が受け付けられると、受信メールの全てが受信され、部分受信指示が受け付けられると、受信メールの一部が受信される。このため、利用者が受信料金を確認して、受信メールの全てを受信するのか、受信メールの一部を受信するのかを判断することができる。このため、利用者の意図に反して受信料金が高くなることをより正確に抑制することが可能になる。
【００５３】
次に本発明の第２の実施形態について説明する。
【００５４】
本実施形態では、携帯電話端末が所定期間内に受信した受信済メールのサイズの合計値が所定値に達すると、それ以降、所定期間内では受信メールの受信に課金されないパケット料金定額プランに利用者が加入している場合に対応した携帯電話端末について説明する。つまり、所定期間内に受信した受信済メールのサイズの合計値が所定値に達すると、その所定期間内の受信料金の総和が定額となる場合における携帯電話端末について説明する。
【００５５】
本実施形態では、受信方法選択設定が設定されている場合に無線部１２が受信通知を受信すると、制御部１６は、無線部１２にて所定期間内に受信された受信済メールのサイズの合計値が所定値に達しているか否かを確認する。なお、所定値は、受信済メールのサイズの合計値がその所定値に達すると、それ以降、所定期間内では受信メールの受信に課金されなくなるような値であり、利用者が加入しているパケット料金定額プランに応じて変化する。
【００５６】
上記の合計値が所定値未満の場合、制御部１６は、第１の実施形態と同様に、受信メールの受信サイズを取得し、その受信サイズに応じて受信メールを受信する受信方法を変更する。
【００５７】
一方、上記の合計値が所定値に達している場合、制御部１６は、受信メールの全てを受信するとともに、受信方法選択設定を解除して、受信方法選択設定を解除した旨の解除通知を表示部１３に表示する。
【００５８】
図４は、本実施形態の携帯電話端末１０の動作を説明するためのフローチャートである。
【００５９】
先ず、図３のステップＳ３０１と同じ処理が実行され、制御部１６がメールヘッダを取得する（ステップＳ４０１）。
【００６０】
続いて、制御部１６は、無線部１２にて所定期間内に受信された受信済情報のサイズの合計値が所定値に達しているか否かを確認する（ステップＳ４０２）。より具体的には、メールサーバ２０が所定期間内の合計値が所定値に達しているか否かを監視して、その監視結果を保存しており、制御部１６は、無線部１２、アンテナ１１およびネットワーク３０を介してメールサーバ２０に接続して、監視結果を確認することで、合計値が上限値を超えたか否かを確認する。なお、合計値が上限値を達しているかの監視および監視結果の保存は、メールサーバ２０と異なる装置で行われてもよいし、携帯電話端末１０で行われてもよい。
【００６１】
合計値が上限値未満の場合、ステップＳ３０２〜Ｓ３０８と同じ処理が行われる（ステップＳ４０３）。
【００６２】
一方、合計値が上限値に達している場合、制御部１６は、受信方法選択設定を解除し（ステップＳ４０４）、受信メールの全てを受信する（ステップＳ４０５）。
【００６３】
受信メールを全て受信すると、制御部１６は、メール受信完了通知を表示部１３に表示するとともに、解除通知を表示部１３に（ステップＳ４０６）、処理を終了する。
【００６４】
なお、所定期間が終了すると、受信済メールのサイズの合計値がクリアされるため、制御部１６は、所定期間が終了すると、再び受信方法選択設定を自動的に設定することが望ましい。例えば、所定期間は、通常、月末に終了するため、制御部１６は、各月の最初に受信方法選択設定を適用するように構成される。
【００６５】
以上説明したように本実施形態によれば、携帯電話端末が所定期間内に受信した受信済情報のサイズの合計値が所定値に達すると、それ以降、所定期間内では受信予定情報の受信に課金されない場合には、警告が通知されなくなるので、利用者の利便性をより向上することが可能になる。
【００６６】
次に第３の実施形態について説明する。
【００６７】
第１および第２の実施形態では、情報を受信する受信装置として携帯電話端末が用いられたが、受信装置は携帯電話端末に限らず適宜変更可能である。例えば、受信装置は、ゲーム機またはＰＣ（タブレット型ＰＣやノート型ＰＣを含む）などでもよい。
【００６８】
また、受信装置にて受信される情報は、情報のサイズに応じて料金が変化するものであれば、電子メールに限らず適宜変更可能である。例えば、受信装置にて受信される情報は、Ｗｅｂページを示すＷｅｂ情報や、ゲームなどのコンテンツでもよい。
【００６９】
図５は、本実施形態の受信装置の構成を示す図である。図５において、受信装置５０は、通信部５１と、保存部５２と、制御部５３と、通知部５４とを有する。
【００７０】
通信部５１は、情報を受信する。
【００７１】
保存部５２は、通信部５１にて受信される情報のサイズとその情報の受信に係る料金との対応関係を保存する。
【００７２】
制御部５３は、通信部５１にて受信が予定されている受信予定情報のサイズである受信サイズを取得する。受信予定情報は、受信メールでもよいし、受信装置５０の利用者から指定されたＵＲＬ（Uniform Resource Locator）などのアドレスが示す場所にあるＷｅｂ情報やコンテンツなどでもよい。
【００７３】
そして、制御部５３は、その受信サイズと保存部５２に保存されている対応関係とに基づいて、受信予定情報の受信に係る受信料金が閾値を超えているか否かを判断する。
【００７４】
受信料金が前記閾値を超えている場合、通知部５４は、警告を受信装置５０の利用者に通知する。なお、通知部５４は、第１の実施形態のように警告を表示する表示部でもよいし、警告を音声として出力するスピーカのような音声出力装置でもよいし、警告を振動で通知するバイブレーションなどでもよい。
【００７５】
本実施形態では、情報の受信に係る受信料金が閾値を超えている場合、警告が通知されるので、電子メールに限らず、情報の受信に課金される場合、その情報の受信に係る料金を抑制するための利便性を向上させることが可能になる。
【００７６】
なお、以上説明した携帯電話端末１０や受信装置５０の機能は、その機能を実現するためのプログラムを、コンピュータにて読み取り可能な記録媒体に記録して、この記録媒体に記録されたプログラムをコンピュータに読み込ませ実行させることで、実現されてもよい。
【００７７】
以上説明した各実施形態において、図示した構成は単なる一例であって、本発明はその構成に限定されるものではない。
【００７８】
例えば、図５で示した受信装置５０には、当然のことながら、図１で示したキー操作部１４と同じ機能を有する操作部がさらに備わっていてもよい。また、受信予定情報がＷｅｂ情報やコンテンツなどの場合、操作部が受信予定情報の一部を受信する部分受信指示を受け付けると、制御部５３は、受信予定情報の一部として、Ｗｅｂ情報からそのＷｅｂ情報に組み込まれた画像を除いた情報や、コンテンツからそのコンテンツに含まれる一部の情報を除いた情報などを取得する。
【符号の説明】
【００７９】
１０      携帯電話端末
１１      アンテナ
１２      無線部
１３      表示部
１４      キー操作部
１５      メモリ
１６、５３      制御部
５０      受信装置
５１      通信部
５２      保存部
５４      通知部
【図１】
2012221466.tif 000003
【図２】
2012221466.tif 000004
【図３】
2012221466.tif 000005
【図４】
2012221466.tif 000006
【図５】
2012221466.tif 000007